(57)【要約】【課題】高級感を得ることができ、重心をバランスの良い適切な位置にとってデザイン性を高めることができる衣類用ハンガーを提供する。【解決手段】左右に張り出した衣類用の肩掛け部１１を有するハンガー本体１０を具備する衣類用ハンガーにおいて、ハンガー本体１０が、ブロー成形によって中空に形成されたものであって、ハンガー本体１０の中央の上面壁１２を穿設することで設けられた上部貫通孔１３と、ハンガー本体１０の中央の下面壁１４におけるブロー成形用のエア吹き込み口が位置する部位を穿設することで設けられた下部貫通孔１５とを備え、金属線材によって形成されて、下側直線部２１が上部貫通孔１３と下部貫通孔１５とを上下に貫通し、その下側直線部２１の下端に抜け止め部２２が設けられていることでハンガー本体１０に装着されているフック部材２０を具備する。【選択図】図１
0003202063.tif 000002
【実用新案登録請求の範囲】
【請求項１】
左右へ延設されて衣類の肩部を型崩れしないように受ける肩掛け部が設けられたハンガー本体を具備する衣類用ハンガーにおいて、
前記ハンガー本体が、ブロー成形によって中空に形成されたものであって、該ハンガー本体の中央の上面壁を穿設することで設けられた上部貫通孔と、前記ハンガー本体の中央の下面壁におけるブロー成形用のエア吹き込み口が位置する部位を穿設することで設けられた下部貫通孔とを備え、
金属線材によって形成されて、下側直線部が前記上部貫通孔と前記下部貫通孔とを上下に貫通し、該下側直線部の下端に抜け止め部が設けられていることで前記ハンガー本体に装着されているフック部材を具備することを特徴とする衣類用ハンガー。
【請求項２】
前記フック部材の下側直線部の延長線上に、重心があるように設けられていることを特徴とする請求項１記載の衣類用ハンガー。
【請求項３】
ズボンやスカートを吊るすことができるように金属線材によって横線部と両側の縦線部を有するコの字状に形成された下衣用吊り下げ線材部が、前記ハンガー本体の下面壁の両端部に設けられた線材挿入孔部に両端で係合することで装着され、前記フック部材の下側直線部の延長線上又は該延長線上の後ろ側を前記横線部の中心が通って水平に位置できるように配されていることを特徴とする請求項１又は２に記載の衣類用ハンガー。
【請求項４】
ブロー成形によって棒状で中空に形成され、該棒状の両端部に設けられた挿通孔に、前記下衣用吊り下げ線材部の両側の縦線部が挿通されることで、該縦線部に上下動可能に設けられた下衣押え棒状部材を具備し、前記挿通孔の少なくとも一方が長孔に設けられていることを特徴とする請求項１〜３のいずれかに記載の衣類用ハンガー。
【請求項５】
前記フック部材の下端の抜け止め部がカシメによって形成されていることを特徴とする請求項１〜４のいずれかに記載の衣類用ハンガー。
【考案の詳細な説明】
【技術分野】
【０００１】
この考案は、左右へ延設されて衣類の肩部を型崩れしないように受ける肩掛け部が設けられたハンガー本体を具備する衣類用ハンガーに関する。
【背景技術】
【０００２】
従来、衣類用ハンガーとしては、例えば、頂部に吊り下げ用金具を突設する屈曲上衣掛け部と該上衣掛け部裏部両端に摺動自在に勘合される下衣掛け部とからなる衣紋掛けにおいて、衣紋掛け本体の全面に滑り止め加工を施し、下衣掛け部を棒状部材とすると共に、該下衣掛け部を衣紋掛け本体の中心部より後方に位置づけることを特徴とする（特許文献１参照）ものが開示されている。これによれば、上下衣服のすべり落ち、すべりによりずれを防止すると共に、衣紋掛けの吊り下げ状態での均等なバランスを実現することにより衣服のすべり落ち、型くずれを回避する衣紋掛けを提供することができる。
【０００３】
しかしながら、このような従来の衣類用ハンガーは、射出成形によって形成されており、ハンガー本体の上面は適切に形成されていても、下面がえぐられた射出成形による樹脂部品の独特の形態になっており、強度がなく貧弱で、高級感を得ることができなかった。
【０００４】
これに対して、高級感のある衣類用ハンガーとしては、図９に示すようなハンガー本体が木材で形成されたものが存在するが、左右に張り出した衣類用の肩掛け部を背広などの上着の形状に倣ってデザインすると、中実の木材であるため重くなると共に、重心をバランスよい適切な位置に取ることが難しく、デザイン性の高いものを提供することが困難であった。
【先行技術文献】
【特許文献】
【０００５】
【特許文献１】実用新案登録３０４８５０１号公報（第１頁）
【考案の概要】
【考案が解決しようとする課題】
【０００６】
衣類用ハンガーに関して解決しようとする問題点は、従来のハンガー本体が射出成形によって形成されたものでは、高級感を得ることができず、従来のハンガー本体が木材で形成されたものでは、重いため、重心をバランスの良い適切な位置にとってデザイン性を高めることが困難である点にある。
【０００７】
そこで本考案の目的は、高級感を得ることができ、重心をバランスの良い適切な位置にとってデザイン性を高めることができる衣類用ハンガーを提供することにある。
【課題を解決するための手段】
【０００８】
本考案は、上記目的を達成するために次の構成を備える。
本考案に係る衣類用ハンガーの一形態によれば、左右へ延設されて衣類の肩部を型崩れしないように受ける肩掛け部が設けられたハンガー本体を具備する衣類用ハンガーにおいて、前記ハンガー本体が、ブロー成形によって中空に形成されたものであって、該ハンガー本体の中央の上面壁を穿設することで設けられた上部貫通孔と、前記ハンガー本体の中央の下面壁におけるブロー成形用のエア吹き込み口が位置する部位を穿設することで設けられた下部貫通孔とを備え、金属線材によって形成されて、下側直線部が前記上部貫通孔と前記下部貫通孔とを上下に貫通し、該下側直線部の下端に抜け止め部が設けられていることで前記ハンガー本体に装着されているフック部材を具備する。
【０００９】
本考案に係る衣類用ハンガーの一形態によれば、前記フック部材の下側直線部の延長線上に、重心があるように設けられていることを特徴とすることができる。
【００１０】
本考案に係る衣類用ハンガーの一形態によれば、ズボンやスカートを吊るすことができるように金属線材によって横線部と両側の縦線部を有するコの字状に形成された下衣用吊り下げ線材部が、前記ハンガー本体の下面壁の両端部に設けられた線材挿入孔部に両端で係合することで装着され、前記フック部材の下側直線部の延長線上又は該延長線上の後ろ側を前記横線部の中心が通って水平に位置できるように配されていることを特徴とすることができる。
【００１１】
本考案に係る衣類用ハンガーの一形態によれば、ブロー成形によって棒状で中空に形成され、該棒状の両端部に設けられた挿通孔に、前記下衣用吊り下げ線材部の両側の縦線部が挿通されることで、該縦線部に上下動可能に設けられた下衣押え棒状部材を具備し、前記挿通孔の少なくとも一方が長孔に設けられていることを特徴とすることができる。
【００１２】
本考案に係る衣類用ハンガーの一形態によれば、前記フック部材の下端の抜け止め部がカシメによって形成されていることを特徴とすることができる。
【考案の効果】
【００１３】
本考案に係る衣類用ハンガーによれば、高級感を得ることができ、重心をバランスの良い適切な位置にとってデザイン性を高めることができるという特別有利な効果を奏する。
【図面の簡単な説明】
【００１４】
【図１】本考案に係る衣類用ハンガーの形態例であって、フック部材をバーに掛けた状態を示す中央縦断面図である。
【図２】本考案に係る衣類用ハンガーの形態例を示す正面図である。
【図３】本考案に係る衣類用ハンガーの形態例を示す背面図である。
【図４】本考案に係る衣類用ハンガーの形態例を示す右側面図である。
【図５】本考案に係る衣類用ハンガーの形態例を示す平面図である。
【図６】本考案に係る衣類用ハンガーの形態例を示す底面図である。
【図７】本考案に係るハンガー本体の形態例を示す下方から見た斜視図である。
【図８】本考案に係るハンガー本体の形態例を示す上方から見た斜視図である。
【図９】従来技術の衣類用ハンガーの形態例を示す中央縦断面図である。
【考案を実施するための形態】
【００１５】
以下、本考案に係る衣類用ハンガーの形態例を、添付図面（図１〜８）に基づいて詳細に説明する。本考案に係る衣類用ハンガーは、左右へ延設されて衣類の肩部を型崩れしないように受ける肩掛け部１１が設けられたハンガー本体１０を具備するものである。
【００１６】
本考案に係るハンガー本体１０は、ブロー成形によって中空に形成されたものであって、そのハンガー本体１０の中央の上面壁１２を穿設することで設けられた上部貫通孔１３と、そのハンガー本体１０の中央の下面壁１４におけるブロー成形用のエア吹き込み口が位置する部位を穿設することで設けられた下部貫通孔１５とを備えている。
【００１７】
また、２０はフック部材であり、金属線材によって形成されて、下側直線部２１が上部貫通孔１３と下部貫通孔１５とを上下に貫通し、その下側直線部２１の下端に抜け止め部２２が設けられていることでハンガー本体１０に装着されている。フック部材２０の上側部は円曲線状の掛け部になっており、フック部材２０の下側直線部２１は直線状に形成され、これがハンガー本体１０に装着されて、衣類用ハンガーのフックを形成している。
【００１８】
これによれば、ブロー成形によって形成されたハンガー本体１０を用いて、衣類用ハンガーを適切に構成することができる。ブロー成形用のエア吹き込み口の跡を下部貫通孔１５に加工するため、その跡がなくなり、見栄えがよい。すなわち、木製のハンガー本体１０を用いた場合と同様の高級感を得ることができ、樹脂製で中空であるため軽く、重心をバランスの良い適切な位置にとってデザイン性を高めることができる。また、ハンガー本体１０が、ブロー成形によって中空に設けられているため、中実の場合と比較して４分の１程度の重量であって軽量でありながら、強度や剛性を十分に確保でき、使い易いという特別有利な利点がある。
【００１９】
そして、本形態例によれば、フック部材２０の下側直線部２１の延長線上に、重心があるように設けられている。これによれば、本考案に係る衣類用ハンガーを、バー５０（図１参照）などの被掛け部に、フック部材２０の下側直線部２１が真直ぐに下を向いて延びるように、バランスよく、きれいに吊り下げることができる。
【００２０】
さらに、本形態例では、ズボンやスカートを吊るすことができるように金属線材によって横線部３１と両側の縦線部３２を有するコの字状に形成された下衣用吊り下げ線材部３０が、ハンガー本体１０の下面壁１４の両端部に設けられた線材挿入孔部１６に両端で係合することで装着され、フック部材２０の下側直線部２１の延長線上又は該延長線上の後ろ側を横線部３１の中心が通って水平に位置できるように配されている。なお、１７は案内溝を備える突起部であり、ハンガー本体１０の両側の線材挿入孔部１６が設けられた部分にそれぞれ形成され、その案内溝に縦線部３２が嵌ることによって、下衣用吊り下げ線材部３０の横揺れが防止される構造になっている。
【００２１】
これによれば、ハンガー本体１０を含めて全体で、本考案に係る衣類用ハンガーを、バー５０（図１参照）などの被掛け部に、フック部材２０の下側直線部２１が真直ぐに下を向いて延びるように、バランスよく、きれいに吊り下げることができる。また、背広やコート、ズボンやスカート等の衣類が実際に掛けられて、吊り下げられた状態において、その重心を適切に位置させることができ、安定的で、見栄え良く、型崩れを防止できるように衣服を収納することができる。
【００２２】
また、本形態例では、ブロー成形によって棒状で中空に形成され、その棒状の両端部に設けられた挿通孔３６に、下衣用吊り下げ線材部３０の両側の縦線部３２が挿通されることで、その縦線部３２に上下動可能に設けられた下衣押え棒状部材３５を具備し、挿通孔３６の少なくとも一方が長孔に設けられている。
【００２３】
これによれば、下衣押え棒状部材３５を、樹脂部材によって軽く形成することができる。また、挿通孔３６が長孔に形成されているため、下衣押え棒状部材３５が縦線部３２に沿って作業性良く好適に上下動でき、吊さげられるズボンを適切に押えることができる。
【００２４】
また、本形態例では、フック部材２０の下端の抜け止め部２２がカシメによって形成されている。これによれば、フック部材２０を簡単な構成で装着でき、製造コストを低減することができる。本発明は、これに限定されるものではなく、例えば、フック部材の下端をボルトとして座金とナットとによって抜け止め部２２（図９参照）を構成してよいのは勿論である。
【００２５】
なお、図面には示さないが、ハンガー本体１０の肩掛け部１１の上面に、衣類の滑りを防止する凹凸等の滑り止め処理をしてもよいのは勿論である。また、ハンガー本体１０は、様々な色彩や模様を付けることで、高級感や、使い勝手を向上させることができる。これに関しても、ハンガー本体１０が、ブロー成形によって形成されたものであるため、好適に対応できる。
【００２６】
以上、本考案につき好適な形態例を挙げて種々説明してきたが、本考案はこの形態例に限定されるものではなく、考案の精神を逸脱しない範囲内で多くの改変を施し得るのは勿論のことである。
【符号の説明】
【００２７】
１０  ハンガー本体
１１  肩掛け部
１２  上面壁
１３  上部貫通孔
１４  下面壁
１５  下部貫通孔
１６  線材挿入孔部
２０  フック部材
２１  下側直線部
２２  抜け止め部
３０  下衣用吊り下げ線材部
３１  横線部
３２  縦線部
３５  下衣押え棒状部材
３６  挿通孔
５０  バー
【図１】
0003202063.tif 000003
【図２】
0003202063.tif 000004
【図３】
0003202063.tif 000005
【図４】
0003202063.tif 000006
【図５】
0003202063.tif 000007
【図６】
0003202063.tif 000008
【図７】
0003202063.tif 000009
【図８】
0003202063.tif 000010
【図９】
0003202063.tif 000011